(57)【要約】【課題】      安価で、かつ施工が簡単であり、しかも屋上までの荷揚げの労力を軽減出来るように軽量化を図った屋上用路床ブロックを提供する。【解決手段】  屋上用路床ブロック１０は発泡倍率５０倍の発泡スチロールで形成されている。上面には貯水穴１１が３段３列に所定間隔で形成されている。貯水穴１１の下端部において隣接する貯水穴１１間を連通させる連通孔１２が形成されている。下面の角部には、隣接する屋上用路床ブロック１０を連結するための円筒状の嵌合凹部１４が形成されている。連結部材４０の嵌合凸部４２を隣接する４個の屋上用路床ブロック１０の嵌合凹部１４に嵌合することにより、４個の屋上用路床ブロック１０を一体に連結している。【選択図】        図３
2007053970.tif 000002
【特許請求の範囲】
【請求項１】
発泡スチロールにより形成され、上面が開口した複数の貯水穴を有することを特徴とする屋上用路床ブロック。
【請求項２】
隣接する貯水穴を連通する連通部が形成されていることを特徴とする請求項１に記載の屋上用路床ブロック。
【請求項３】
下面に嵌合凹部を形成するとともに、嵌合凸部を形成した連結部材を用意し、該嵌合凸部を嵌合凹部に嵌合することにより隣接する屋上用路床ブロックを連結することを特徴とする請求項１又は２に記載の屋上用路床ブロック。
【請求項４】
請求項１、２又は３に記載の屋上用路床ブロックと、該屋上用路床ブロックの上面に設けた水滲入性を有する敷部材と、上端が敷部材に連結すると共に下端が路床ブロックの貯水穴内に垂下した揚水部材と、敷部材の上側に設けた表層部材とを具備することを特徴とする屋上用路床構造。
【請求項５】
前記表層部材が土壌であって、屋上用路床ブロックの上面にトレーを設け、敷部材が該トレーの底面に敷設され、該トレーに形成した貫通孔を通って揚水部材が路床ブロックの貯水穴内に垂下され、敷部材の上面に土壌を充填したことを特徴とする請求項４に記載の屋上用路床構造。
【請求項６】
前記敷部材と揚水部材を不織布によって形成したことを特徴とする請求項４又は５に記載の屋上用路床構造。
【請求項７】
請求項１、２又は３記載の屋上用路床ブロックと、該屋上用路床ブロックの上面に設けた保水性舗装部材と、上端が保水性舗装部材に連結されるとともに、下端が屋上用路床ブロックの貯水穴内に垂下された揚水部材とを具備することを特徴とする屋上用路床構造。
【請求項８】
前記揚水部材を不織布によって形成したことを特徴とする請求項７に記載の屋上用路床構造。
【発明の詳細な説明】
【技術分野】
【０００１】
本発明は、ビルあるいはマンションベランダ等の屋上に庭園等を造る際、土壌、舗装用ブロック等の表層部材の下側に位置し、屋上の床面上に敷設する屋上用路床ブロック並びにこの屋上用路床ブロックを用いた屋上用路床構造に関するものである。
【背景技術】
【０００２】
近年、都市部におけるヒートアイランド現象の緩和、二酸化酸素の削減、省エネルギー実現のために、屋上緑化が行なわれるようになって来た。屋上緑化は、オフィスビル等の屋上の空きスペースを利用し、樹木、草花、芝生等を植栽した庭園を造ることにより屋上を緑化するものである。
【０００３】
一般に、屋上に庭園を造るには、コンクリートブロック、レンガ等を用いて土止め用の枠を形成し、この枠内に土壌を投入して行っている。しかしながら、このような方法では、コンクリートブロック、レンガ等は重量が大きいので、屋上まで荷揚げするのに多大な労力を要するものであった。
【０００４】
そこで、従来、屋上までの荷揚げの労力を軽減化した屋上緑化の技術が提案されている。すなわち、樹脂発泡体を素材とするブロック体で形成され、該ブロック体の底板部の先端上面に沿った箇所又はその近傍箇所に突状等の係止部を有し、該ブロック体の底面に排水溝を有した見切り材と、樹脂発泡体を素材とするプレートであって、側縁に見切り材の係止部に対応する被係止部を有し、上面に複数の保水穴及び／又は排水用小孔を有している保水プレートとからなり、前記見切り材を連結した土止め枠内に保水プレートを敷設する庭園の形成方法が提案されている（特許文献１参照）。
【０００５】
【特許文献１】特開２００４−２４０５３号公報
【発明の開示】
【発明が解決しようとする課題】
【０００６】
しかしながら、上述した特許文献１で提案された庭園の形成方法は、以下の問題点があった。
（１）見切り材と保水プレートとの２つの部材により構成され、さらに見切り材は角用及び直線用を用意しなくてはならないので、部品点数が多くなり、その結果、製造コストが高くなり、また、施工作業も煩雑になるものである。
（２）保水プレートに形成された保水穴は、それぞれ独立して形成されているので、保水プレートの上方に植栽を設け、この植栽に保水穴の水を揚水しようとする場合、各保水穴に揚水のための手段を設けなければならないものである。
（３）上述したように、保水プレート上面に直接土壌を投入するものであるので、土壌が保水穴に混入して水が泥水状態となり、土壌が流出する恐れがある。
【０００７】
本発明は、以上の問題点を解決し、安価で、かつ施工が簡単であり、しかも屋上までの荷揚げの労力を軽減出来るように軽量化を図った屋上用路床ブロックを提供することを目的とする。さらに、この屋上用路床ブロックを用い、水の蒸散作用により路面の温度上昇を抑え、かつ土壌が流出することない屋上用路床構造を提供することを目的とする。
【課題を解決するための手段】
【０００８】
請求項１に係る発明は、発泡スチロールにより形成され、上面が開口した複数の貯水穴を有することを特徴とする屋上用路床ブロックである。
【０００９】
請求項２に係る発明は、請求項１記載の屋上用路床ブロックにおいて、隣接する貯水穴を連通する連通部が形成されていることを特徴とする。
【００１０】
請求項３に係る発明は、請求項１又は２記載の屋上用路床ブロックにおいて、下面に嵌合凹部を形成するとともに、嵌合凸部を形成した連結部材を用意し、該嵌合凸部を嵌合凹部に嵌合することにより隣接する屋上用路床ブロックを連結することを特徴とする。
【００１１】
請求項４に係る発明は、請求項１、２又は３に記載の屋上用路床ブロックと、該屋上用路床ブロックの上面に設けた水滲入性を有する敷部材と、上端が敷部材に連結すると共に下端が路床ブロックの貯水穴内に垂下した揚水部材と、敷部材の上側に設けた表層部材とを具備することを特徴とする屋上用路床構造である。
【００１２】
請求項５に係る発明は、請求項４に記載の屋上用路床構造において、前記表層部材が土壌であって、屋上用路床ブロックの上面にトレーを設け、敷部材が該トレーの底面に敷設され、該トレーに形成した貫通孔を通って揚水部材が路床ブロックの貯水穴内に垂下され、敷部材の上面に土壌を充填したことを特徴とする。
【００１３】
請求項６に係る発明は、請求項４又は５に記載の屋上用路床構造において、前記敷部材と揚水部材を不織布によって形成したことを特徴とする。
【００１４】
請求項７に係る発明は、請求項１、２又は３記載の屋上用路床ブロックと、該屋上用路床ブロックの上面に設けた保水性舗装部材と、上端が保水性舗装部材に連結されるとともに、下端が屋上用路床ブロックの貯水穴内に垂下された揚水部材とを具備することを特徴とする屋上用路床構造である。
【００１５】
請求項８に係る発明は、請求項７記載の屋上用路床構造において、前記揚水部材を不織布によって形成したことを特徴とする。
【発明の効果】
【００１６】
請求項１に係る発明においては、複数の貯水穴に雨又は潅水により水を貯溜することができるので、貯水穴に溜まった水の蒸散作用により路面温度を低下させ、ヒートアイランド現象を緩和することができる。屋上用路床ブロックは発泡スチロールによって形成されているので、屋上までの荷揚げ作業の労力を軽減することができ、施工現場において容易に切断することができるので、屋上の形状に合わせて寸法調整を簡単に行なうことができる。また、複数の貯水穴を設けているので、貯水穴を区画する隔壁が形成され、路床ブロックの耐圧性を高揚することができる。さらに、安価に提供でき、断熱効果が高く、中性であるので植物の生育を阻害することがないものである。
【００１７】
請求項２に係る発明においては、貯水穴は連通部を介して連通されているので、各貯水穴に均等に水を溜めることができ、無駄なく貯水することが可能である。
【００１８】
請求項３に係る発明においては、嵌合凹部に連結部材の嵌合凸部を嵌合することにより、隣接する屋上用路床ブロックを簡単かつ強固に連結することができるので、強風による路床ブロックの浮き又はズレを防止することができる。また、嵌合凹部と嵌合凸部を嵌合するだけなので、敷設作業を簡単に行なうことができる。
【００１９】
請求項４に係る発明においては、水滲入性を有する敷部材に連結された揚水部材が貯水穴内に垂下しているので、貯水穴の水に浸漬して水を引き上げる。そして、揚水部材の上端が敷部材に連結されているので、引き上げられた水は敷部材に供給されることとなる。敷部材は水滲入性を有しているので、供給された水は、敷部材の外周縁方向へ滲入し、敷部材全面が濡れた状態となり、この水分が蒸散し、路面温度を低下することができる。また、揚水部材により貯水穴の水を引き上げる際、任意の貯水穴（通常は中央に位置する貯水穴）に揚水部材を設けるだけで、総ての貯水穴の水を引き上げることができる。
【００２０】
請求項５に係る発明においては、敷部材が屋上用路床ブロックの上面に設けられたトレーの底面に敷設され、敷部材の上面には土壌が充填されているので、揚水部材から吸い上げられた水は敷部材を介して土壌に吸収され、植栽に水を供給することができる。また、雨や潅水した場合は、水は土壌を透過して敷部材に達するが、敷部材も水を透過させるので、敷部材を透過した水はトレーの貫通孔から滴下して貯水穴に貯溜される。
【００２１】
請求項６に係る発明においては、敷部材と揚水部材を不織布によって形成したので、毛管現象により貯水穴の水を揚水部材によって引上げ、揚水部材から送られて来た水を敷部材によって円滑に展開することができ、また、保水能力以上の水を円滑に透過させることができる。
【００２２】
請求項７に係る発明においては、揚水部材が貯水穴の水に浸漬して水を引き上げ、揚水部材の上端が保水性舗装部材に連結されているので、引き上げられた水は保水性舗装部材に供給されることとなる。供給された水は保水性舗装部材により保持され徐々に蒸発していく。また、雨や潅水した場合は、水は保水性舗装部材により保持されるが、一部は保水性舗装部材を透過し、貯水穴に滴下して貯溜される。
【００２３】
請求項８に係る発明においては、揚水部材を不織布によって形成したので、貯水穴の水を円滑に引き上げて保水性舗装部材に供給することができる。
【発明を実施するための最良の形態】
【００２４】
本発明による屋上用路床ブロックは発泡スチロールで形成されており、この発泡スチロールは、発泡倍率が５〜５０倍が好ましく、３０〜５０倍がより好ましい。発泡倍率が５倍未満であると、軽量化の効果が小さくなり、また、発泡倍率が５０倍を超えると、耐圧性が小さく破損する恐れがある。屋上用路床ブロックの平面形状は施工のし易さから矩形状が好ましいが、三角形状、六角形状等種々の形状を採用することができる。また、周囲を山谷形状とし、隣接する路床ブロックと嵌合させても構わない。
【００２５】
屋上用路床ブロックには複数の貯水穴が形成されており、その形状は円柱形、角柱形等、特に限定されないが、強度的に有利な円柱形が好ましい。また、その面積及び数は、貯水量を多くするためには面積が大きく、かつ数が多い方が好ましいが、耐圧性が小さくなるので、これらを考慮して適宜設定する。例えば、屋上用路床ブロックが一辺２５０ｍｍの正方形の場合、直径５８ｍｍの貯水穴を略等間隔で３段３列に形成することが好ましい。
【００２６】
貯水穴間には連通部が形成されている。この連通部は貯水穴を連通させることにより水を流通させるためのものである。これにより、複数の貯水穴に水を均等に溜めることができ、揚水部材を１つ設けた場合であっても、総ての貯水穴の水を引き上げることができる。連通部は、少なくとも貯水穴の下端部に形成すべきであり、下端部のみであっても、上端から下端まで連続して形成してもよい。
【００２７】
屋上用路床ブロックは、屋上の床面に並べて敷設するものであるが、その際隣接する屋上用路床ブロック同士を連結固定することが好ましい。この連結手段としては特に限定されないが、例えば、屋上用路床ブロックの下面に嵌合凹部を形成するとともに、この嵌合凹部に嵌合する嵌合凸部を形成した連結部材を用意し、嵌合凸部を嵌合凹部に嵌合することにより連結することができる。この場合、嵌合凹部の形成は、角部であっても直線の辺部分であってもよいが、角部に形成すると、４個の屋上用路床ブロックを一度に連結することが出来るので好ましい。
【００２８】
本発明による屋上用路床構造は、屋上用路床ブロックの上面に水滲入性を有する敷部材が敷設され、上端が敷部材に連結した揚水部材の下端を路床ブロックの貯水穴内に垂下し、敷部材の上側に表層部材を設けている。この敷部材は、揚水部材から供給された水を全面に行きわたらせて、敷部材の全面から水を蒸散できるようにするものである。このため敷部材は水滲入性を有しており、この水滲入性は、例えば、毛管現象により水が効率良く拡散して行く性質のことであり、不織布等を用いることができる。
【００２９】
敷部材の下面には揚水部材の上端が連結されており、この揚水部材の下端は貯水穴内に垂下している。揚水部材は、貯水穴の水を引き上げて敷部材に供給するためのもので、例えば、毛管現象を利用して行なうことができ、毛管現象を利用したものとして、不織布等を用いることができる。揚水部材の下端は貯水穴の底面近傍まで垂下しておけば、貯水穴の水を余すことなく吸い上げることができる。また、揚水部材は少なくとも１つ設ける必要があるが、複数設けることもできる。複数設けると、敷部材の全面に効率良く水を滲入することができる。敷部材並びに揚水部材は、合成樹脂繊維からなる不織布で形成することにより、毛管現象による水の滲入性を高めると共に、腐食を防止することができる。
【００３０】
表層部材は、屋上の床面上において通常露出した状態で設けられるもので、例えば、土壌、舗装ブロック、木製デッキ材がある。したがって、屋上用路床構造の具体的な例としては、土壌を用いた植栽構造、舗装ブロックを用いた通路構造、木製デッキ材を用いた通路構造等がある。なお、後述する屋上用路床構造（通路構造）は、敷部材を設けず揚水部材を保水性舗装部材に直接連結しているが、上述したように、敷部材の上側に舗装ブロックを設けた構成としても構わない。
【００３１】
本発明による屋上用路床構造（植栽構造）は、屋上用路床ブロックの上面にトレーが設けられている。このトレーは、土壌が充填されるので保持できるだけの剛性を有することが必要であるが、切断可能な合成樹脂トレーとすることが好ましい。合成樹脂トレーで形成することにより、現場において任意の大きさに切断することができるので、多様な形状の敷設面に対応することができる。また、トレーは、屋上用路床ブロックと同一の形状とする他、屋上用路床ブロック２枚分（長方形）、３枚分（長方形）、４枚分（正方形）等の形状にすることもできる。トレーの底面には敷部材が敷設され、敷部材に滲入した水が土壌に供給される。
【００３２】
敷部材の上面には土壌が充填されている。土壌は特に限定されず、従来用いられている土壌を用いることができ、この土壌に植物が植えられる。
【００３３】
本発明による屋上用路床構造（通路構造）は、屋上用路床ブロックの上面に保水性舗装部材が設けられている。保水性舗装部材としては、軽量コンクリートによって形成された舗装ブロック等を用いることができる。保水性舗装部材の上面に切溝を形成することが好ましく、この切溝により保水性舗装部材を小片に容易に分割することができる。この切溝は、格子状に形成することにより、任意の長方形又は正方形の小片に分離することができる。
【００３４】
保水性舗装部材の下面には揚水部材の上端が連結されており、この揚水部材の下端は貯水穴の少なくとも底面近傍まで垂下している。揚水部材は、貯水穴の水を引き上げて保水性舗装部材に供給するためのものである。
【００３５】
本発明による屋上用路床ブロックの第一実施形態を図面を参照して説明する。
【００３６】
図１は連結部材を連結した状態の屋上用路床ブロックの平面図、図２は同上屋上用路床ブロックの正面図、図３は図１中Ａ−Ａ線断面図、図４は同上屋上用路床ブロックの裏面図、図５は屋上用路床ブロックの分解斜視図、図６は屋上用路床ブロックの連結状態を示す斜視図である。
【００３７】
図１〜図４において、屋上用路床ブロック１０は、発泡倍率５０倍の発泡スチロールで形成されており、その上面には貯水穴１１が３段３列に所定間隔で形成され、この貯水穴１１の下端部において隣接する貯水穴１１間を連通させる連通部である連通孔１２が形成されている。したがって、貯水穴１１に溜まった水は、貯水穴１１間を自由に流通するようになっている。
【００３８】
屋上用路床ブロック１０の下面には、その略全面に屋上の床面に設置するための多数の設置凸部１３が突出して形成されており、この設置凸部１３により床面の不陸を吸収し且つ床面上を摺動するのを防止するとともに、屋上用路床ブロック１０の下面と床面との間に空間を形成し、この空間により床面上に流れ込んだ雨水を流すことが出来るようになっている。また、下面の角部には、隣接する屋上用路床ブロック１０を連結するための円筒状の嵌合凹部１４が形成されている。
【００３９】
以上のような屋上用路床ブロック１０は、図５に示すように、枠体２０と、この枠体２０の嵌合凹部２１に嵌合される嵌合体３０とで形成されている。そして、嵌合凹部２１の内周面に円弧状の溝２２が形成されるとともに、嵌合体３０の外周面にも溝２２と対応する円弧状の溝３１が形成され、これらの溝２２と溝３１とが一体となって貯水穴１１が形成されている。また、嵌合体３０の下端部には、隣接する溝３１間に切欠け部３２が形成されており、この切欠け部３２が連通孔１２を形成するものである。
【００４０】
屋上用路床ブロック１０は屋上の床面に連結した状態で敷設するものであり、隣接する屋上用路床ブロック１０を連結するには、図６に示すように、連結部材４０により行なうものである。連結部材４０は合成樹脂で形成されたもので、平板部４１と、この平板部４１に突出形成された４個の円柱状の嵌合凸部４２とから構成されている。そして、各嵌合凸部４２を隣接する４個の屋上用路床ブロック１０の嵌合凹部１４に嵌合することにより、４個の屋上用路床ブロック１０を一体に連結している。
【００４１】
なお、図１において、屋上用路床ブロック１０の一辺の長さａ１＝２５０ｍｍ、高さａ２＝１００ｍｍ、貯水穴１１の直径ｂ＝５８ｍｍであり、路床ブロックの貯水量は約２リットルである。夏場においては、１日で１ｍ２当り約１０リットルの水が蒸発するので、貯水穴が満水状態であれば、約３日間かけて蒸発する水を貯水することができる。
【００４２】
次に、上述した屋上用路床ブロックを用いた屋上用路床構造の第一実施形態を図面を参照して説明する。図７は屋上用路床構造である屋上用植栽ユニット構造の斜視図、図８は屋上用植栽ユニット構造の縦断面図、図９は屋上用植栽ユニット構造の分解斜視図、図１０は水勾配が形成された床面に設置した場合の屋上用路床ブロック部分の縦断面図である。
【００４３】
図７〜図９において、屋上用植栽ユニット構造５０は、屋上用路床ブロック１０の上面に上部が開口した箱状のトレー６０が載置されており、トレー６０の略中央には貫通孔６１が形成されている。トレー６０の下面には脚部又は排水溝が形成され、貯水穴１１が満水になった際に、トレー６０と路床ブロック１０との間に生じる隙間から余剰水を排出することができる。このトレー６０の底面には水滲入性を有する敷部材としての合成樹脂繊維からなる不織布７０が全面に敷設されており、その下面略中央には、揚水部材としての合成樹脂繊維からなる帯状不織布８０が連結されている。そして、この帯状不織布８０は、貫通孔６１を介して中央に位置する貯水穴１１に垂下され、その下端が貯水穴１１の底面の若干上方まで達している。また、トレー６０には、不織布７０の上面において土壌９１が充填されるとともに、土壌９１に植物９２が植栽されている。
【００４４】
以上のような屋上用植栽ユニット構造においては、貯水穴１１に溜まった水ｗの中に帯状不織布８０が浸漬しているので、水は毛管現象により引き上げられ上端である不織布７０にまで達する。不織布７０まで達した水は、さらに毛管現象により不織布７０の外周縁まで展開されていき、不織布７０全面が水に濡れた状態になる。したがって、土壌９１の全体に水を供給することができる。また、貯水穴１１は連通孔１２で連通し、水は貯水穴１１間を流通自在となっているので、総ての貯水穴１１の水を利用することができる。また、水勾配が形成された床面に設置した場合は、図１０に示すように、総ての貯水穴１１の水ｗが同一平面上の液面となる。
【００４５】
次に、上述した屋上用路床ブロックを用いた屋上用路床構造の第ニ実施形態を図面を参照して説明する。図１１は屋上用路床構造である屋上用通路ユニット構造の斜視図、図１２は屋上用通路ユニット構造の縦断面図、図１３は屋上用通路ユニット構造の分解斜視図である。
図１１〜図１３において、屋上用通路ユニット構造１００は、屋上用路床ブロック１０の上面に、コンクリートで形成された保水性舗装部材１１０が載置されている。保水性舗装部材１１０の下面には脚部又は排水溝が形成され、貯水穴１１が満水になった際に、保水性舗装部材１１０と路床ブロック１０との間に生じる隙間から余剰水を排出することができる。保水性舗装部材１１０は、その上面において格子状に切溝１１１が形成されており、この切溝１１１に沿って簡単に切断して小片に分離できるようになっている。また、保水性舗装部材１１０の下面略中央には、上述した屋上用植栽ユニット構造と同様の揚水部材としての帯状不織布８０が連結されており、この帯状不織布８０の下端は、上述した屋上用植栽ユニット構造と同様に、貯水穴１１の底面の若干上方まで達している。
【００４６】
以上のような屋上用通路ユニット構造においては、貯水穴１１に溜まった水ｗの中に帯状不織布８０が浸漬しているので、水は毛管現象により引き上げられ上端である保水性舗装部材１１０にまで達する。そして、保水性舗装部材１１０にまで達した水は、保水性舗装部材１１０に吸収され、その内部において保持される。
【００４７】
次に、屋上用路床ブロックを敷設する屋上の床面の形状が、屋上用路床ブロックの整数倍とならない場合、すなわち屋上用路床ブロックで床面を満遍なく敷き詰めることが出来ないような形状の場合について図面を参照して説明する。図１４は屋上用路床ブロックを切断した状態の斜視図、図１５はトレーを切断した状態の斜視図、図１６は保水性舗装部材を切断した状態の斜視図である。
【００４８】
図１４において、屋上用路床ブロック１０は、２／３に切断分離されており、この状態で同様に用いる。したがって、通常の敷設面積の２／３しか床面が無い場合であっても屋上用路床ブロック１０を敷設することができ、種々の床面を持つ屋上に対応することができる。なお、切断面に露出する連通孔１２は別部材によって塞ぎ、水の流出を防止すべきである。
【００４９】
そして、この２／３に切断分離した屋上用路床ブロック１０に対応できるように、トレー６０を切断して使用する。すなわち、図１５に示すように、トレー６０を２／３に切断分離するとともに、開口部を遮蔽する側板６２を用意するものである。また、保水性舗装部材１１０は、図１６に示すように、２／３に切断分離するものである。この時、切溝１１１により容易に切断できる。
【００５０】
以上のような植栽ユニット構造及び通路ユニット構造からなる屋上用路床構造を用い、屋上に花壇及び通路を設けた例について図面を参照して説明する。図１７は屋上に設けた花壇及び通路の部分斜視図である。この図において、花壇１２０は、複数の屋上用植栽ユニット構造５０を所望の位置に配置して形成し、通路１３０は、複数の屋上用通路ユニット構造１００を所望の位置に配置して形成している。これらの花壇１２０及び通路１３０において、屋上用路床ブロック１０は共通しているので、トレー６０と保水性舗装部材１１０とを交換するだけで、花壇と通路とを簡単に変更することができる。
【００５１】
本発明による屋上用路床ブロックの第二実施形態について図面を参照して説明する。図１８は屋上用路床ブロックの斜視図、図１９は屋上用路床ブロックの一部切断した断面図であり、この屋上用路床ブロックは連通孔を貯水穴の上端から下端まで形成したものである。
【００５２】
図１８及び図１９において、屋上用路床ブロック１４０は、発泡倍率５０倍の発泡スチロールで形成されており、その上面には貯水穴１４１が３段３列に所定間隔で形成されるとともに、隣接する貯水穴１４１間には上端から下端の全面に亘って連通孔１４２が形成されている。したがって、貯水穴１４１に溜まった水は、どの深さにおいても貯水穴１４１間を自由に流通するようになっている。
【００５３】
本発明による屋上用路床ブロックの第三実施形態について図面を参照して説明する。図２０は屋上用路床ブロックの分解斜視図、図２１は第三実施形態の屋上用路床ブロックを用いた屋上用植栽ユニット構造の第二実施形態の分解斜視図である。
【００５４】
図２０において、屋上用路床ブロック１５０は、第一実施形態の屋上用路床ブロックにおいて、大きさを変更した他は、第一実施形態と同様である。すなわち、屋上用路床ブロック１５０は一辺の長さｃ１＝５００ｍｍ、高さｃ２＝１００ｍｍ、貯水穴１５１は５段５列に形成され、その直径ｄ＝７０ｍｍであり、路床ブロックの貯水量は約８リットルである。夏場においては、１日で１ｍ２当り約１０リットルの水が蒸発するので、貯水穴が満水状態であれば、約３日間かけて蒸発する水を貯水することができる。また、枠体１６０の嵌合凹部１６１、円弧状の溝１６２、嵌合体１７０の円弧状の溝１７１、切欠け部１７２は第一実施形態と同様に構成されている。
【００５５】
この屋上用路床ブロック１５０を用いた屋上用植栽ユニット構造１８０は、第一実施形態の屋上用植栽ユニット構造において、大きさを変更するとともに、帯状不織布８０を４枚用いた他は、第一実施形態と同様である。すなわち、図２１に示すように、トレー１９０に４個の貫通孔１９１が形成されるとともに、４枚の帯状不織布８０が設けられており、その他、不織布７０、土壌９１、植物９２等は第一実施形態と同様に構成されている。
【図面の簡単な説明】
【００５６】
【図１】本発明による屋上用路床ブロックの第一実施形態の連結部材を連結した状態の平面図
【図２】本発明による屋上用路床ブロックの第一実施形態の連結部材を連結した状態の正面図
【図３】図１中Ａ−Ａ線断面図
【図４】本発明による屋上用路床ブロックの第一実施形態の連結部材を連結した状態の裏面図
【図５】本発明による屋上用路床ブロックの第一実施形態の分解斜視図
【図６】本発明による屋上用路床ブロックの第一実施形態の連結状態を示す斜視図
【図７】本発明による屋上用路床構造の第一実施形態の斜視図
【図８】本発明による屋上用路床構造の第一実施形態の縦断面図
【図９】本発明による屋上用路床構造の第一実施形態の分解斜視図
【図１０】本発明による屋上用路床構造の第一実施形態において水勾配が形成された床面に設置した状態の縦断面図
【図１１】本発明による屋上用路床構造の第ニ実施形態の斜視図
【図１２】本発明による屋上用路床構造の第ニ実施形態の縦断面図
【図１３】本発明による屋上用路床構造の第ニ実施形態の分解斜視図
【図１４】本発明による屋上用路床ブロックの第一実施形態において切断した状態を示す斜視図
【図１５】本発明による屋上用路床構造の第一実施形態においてトレーを切断した状態の斜視図
【図１６】本発明による屋上用路床構造の第ニ実施形態において保水性舗装部材を切断した状態の斜視図
【図１７】本発明による屋上用路床構造を用いた花壇及び通路の部分斜視図
【図１８】本発明による屋上用路床ブロックの第二実施形態の斜視図
【図１９】本発明による屋上用路床ブロックの第二実施形態の一部切断した断面図
【図２０】本発明による屋上用路床ブロックの第三実施形態の分解斜視図
【図２１】本発明による屋上用路床構造の第三実施形態の分解斜視図
【符号の説明】
【００５７】
１０    屋上用路床ブロック
１１    貯水穴
１２    連通孔
１４    嵌合凹部
４０    連結部材
４２    嵌合凸部
５０    屋上用植栽ユニット構造
６０    トレー
７０    腐食布（敷部材）
８０    帯状不織布（揚水部材）
９１    土壌
９２    植物
１００  屋上用通路ユニット構造
１１１  切溝
１２０  花壇
１３０  通路
１４０  屋上用路床ブロック
１５０  屋上用路床ブロック
１８０  屋上用植栽ユニット構造
【図１】
2007053970.tif 000003
【図２】
2007053970.tif 000004
【図３】
2007053970.tif 000005
【図４】
2007053970.tif 000006
【図５】
2007053970.tif 000007
【図６】
2007053970.tif 000008
【図７】
2007053970.tif 000009
【図８】
2007053970.tif 000010
【図９】
2007053970.tif 000011
【図１０】
2007053970.tif 000012
【図１１】
2007053970.tif 000013
【図１２】
2007053970.tif 000014
【図１３】
2007053970.tif 000015
【図１４】
2007053970.tif 000016
【図１５】
2007053970.tif 000017
【図１６】
2007053970.tif 000018
【図１７】
2007053970.tif 000019
【図１８】
2007053970.tif 000020
【図１９】
2007053970.tif 000021
【図２０】
2007053970.tif 000022
【図２１】
2007053970.tif 000023